(57)【要約】 【課題】受け管及び差込み管内からの水漏れや臭気漏れを防止し、受け管に対する差込み管の傾動を抑え、差込み管と受け管とを安定よく往復動させる伸縮排水管装置を提供する。【解決手段】互いに往復動可能に嵌合された、差込み管１２及び受け管１４と、差込み管１２及び受け管１４の嵌合部１６における受け管１４端部の周面と端面とを覆うカバー管１８と、カバー管１８の内周面と受け管１４端部の端面と差込み管１２の外周面とにより形成された空間２０に、差込み管１２の外周面に接触するように配設されたリップパッキング２２と、嵌合部１６における差込み管１２と受け管１４との対向面間にリング状に配設された複数の間隙保持部材とを備えた。【選択図】図１
2014035080.tif 000002
【特許請求の範囲】
【請求項１】
互いに往復動可能に嵌合されて被取付け体の排水配管に接続される、差込み管及び受け管と、
前記差込み管及び前記受け管の嵌合部における前記受け管端部の周面と端面とを覆い、かつ前記受け管に固定されたカバー管と、
前記カバー管の内周面と前記受け管端部の端面と前記差込み管の外周面とにより形成された空間に、前記差込み管の外周面に接触するように配設されたリップパッキングと、
前記嵌合部における前記差込み管と前記受け管との対向面間の複数個所に、互いに適宜間隔を置いてリング状に配設された、複数の間隙保持部材とを備えたことを特徴とする伸縮排水管装置。
【請求項２】
請求項１に記載の伸縮排水管装置において、
前記嵌合部における前記差込み管の外周面に、前記リップパッキングの取付け位置から適宜間隔を置いて周溝を設け、前記周溝に第２のリップパッキングを設けたことを特徴とする伸縮排水管装置。
【請求項３】
請求項１又は２に記載の伸縮排水管装置において、
前記差込み管の取付け端部に引き抜け防止部材を設け、前記差込み管の取付け端部に、前記引き抜け防止部材に係止されて前記差込み管から離脱しない状態で嵌合されかつ被取付け体の排水配管のねじ周面に螺合されるナット状固定部材を設けたことを特徴とする伸縮排水管装置。
【請求項４】
請求項１乃至３のいずれかに記載の伸縮排水管装置において、
前記被取付け体は、
キッチン床に設置される下部構造物と前記下部構造物の上に配置されかつ前記下部構造物に対して上下移動可能にされた上部構造物とに分割された構成のキッチンユニット本体と、前記上部構造物に配設された、加熱調理機器、シンク、前記シンクに連設された排水管と、前記下部構造物を固定した状態で前記上部構造物を昇降させる昇降装置とを備えたキッチンユニットであることを特徴とする伸縮排水管装置。
【請求項５】
請求項１乃至４のいずれかに記載の伸縮排水管装置において、
前記受け管の取付け端部の外周面にフランジを設け、前記フランジに固定ボルトの挿入孔を設けたことを特徴とする伸縮排水管装置。
【請求項６】
請求項１乃至５のいずれかに記載の伸縮排水管装置において、
前記リップパッキング及び前記第２のリップパッキングとして、Ｕパッキング又はＶパッキングを使用するものであることを特徴とする伸縮排水管装置。
【請求項７】
請求項１乃至６のいずれかに記載の伸縮排水管装置において、
前記間隙保持部材は、テフロン（登録商標）、ＰＴＦＥ、ニトリルゴム、布入りフェノール樹脂、塩化ビニル樹脂のいずれかの材質からなる横断面円形のＯリング、あるいは横断面矩形のウェアリングにより構成されていることを特徴とする伸縮排水管装置。
【請求項８】
請求項１乃至７のいずれかに記載の伸縮排水管装置において、
前記差込み管及び前記受け管は、塩化ビニル管により構成されていることを特徴とする伸縮排水管装置。
【請求項９】
請求項１乃至３のいずれかに記載の伸縮排水管装置において、
前記被取付け体は、
食卓用カウンターを装備し、かつキッチン床に設置される下部構造物と前記下部構造物の上に配置されかつ前記下部構造物に対して昇降可能に配置された上部構造物とに分割された構成のキッチンユニット本体と、前記上部構造物に配設された、加熱調理機器、シンク、前記シンクに連設された排水管とを備え、前記上部構造物を支持するように配置された可動部材と前記下部構造物に固定されて前記可動部材を上下移動する上下駆動装置とにより前記上部構造物の上面と前記下部構造物の前記食卓用カウンターの上面とがほぼ同一平面になるように高さ調整できるようにしたキッチンユニットであることを特徴とする伸縮排水管装置。
【発明の詳細な説明】
【技術分野】
【０００１】
本発明は、昇降する、キッチンユニット、洗面台、便器等の排水管として使用される伸縮排水管装置に関する。
【背景技術】
【０００２】
本願発明者等は、先に、調理台と食卓とを備えるキッチンユニットで、調理台と食卓との高さを合わせるためにキッチンユニット本体の上面を上下動できる構造のキッチンユニットを発明し、これを特許出願した（特願２０１１−１５８６３４号）。この発明のキッチンユニットは、図４ないし図６に示す以下の構成である。
【０００３】
すなわち、図４ないし図６に示すように、キッチンユニット１１０は、キッチンユニット本体１１２の上面に加熱調理機器１１４とシンク１１６が設けられ、かつキッチンユニット本体１１２の背面側の外縁部に食卓用カウンター１２０が設けられ、対面式に構成されている。加熱調理機器１１４およびシンク１１６には、給電、ガス、給水、給湯、排水等の各種配管に対応する周知の管体が連結されている。
【０００４】
キッチンユニット本体１１２は、キッチン床に設置される下部構造物１２２と、下部構造物１２２の上に配置された上部構造物１２４とに分割された構成とされている。上部構造物１２４は下部構造物１２２に対して上下移動可能にされている。上部構造物１２４の下方に、下部構造物１２２を固定した状態で上部構造物１２４を昇降させる昇降装置１２６が設けられている。昇降装置１２６は下部構造物１２２とほぼ並列に配設されている。
【０００５】
加熱調理機器１１４とシンク１１６は上部構造物１２４の上面に装備されている。食卓用カウンター１２０は、下部構造物１２２の背面側の外縁部に設けられている。食卓用カウンター１２０は、上部構造物１２４の上面より低い位置に設けられている。食卓用カウンター１２０に対応して椅子１２３が配置されている。
【０００６】
上部構造物１２４の上面の正面側外縁部に、上部構造物１２４の上面とほぼ同一平面となる補助カウンター１２８が設けられている。下部構造物１２２内の空間に引出し式椅子１２５が収納されている。引出し式椅子１２５は下部構造物１２２の正面側の外方に引き出し可能である。
【０００７】
補助カウンター１２８は、図示しないが上部構造物１２４に蝶番で支持されている。補助カウンター１２８は上部構造物１２４の正面に沿って垂下された状態から回動されて外方に出し入れ自在に設けられている。図５にキッチンユニット本体１１２で使用する補助カウンター１２８の動きを示している。
【０００８】
図５（ａ）は補助カウンター１２８が動く前の垂下した状態を示しており、図５（ｂ）は補助カウンター１２８が動いた後の水平状態を示している。すなわち、補助カウンター１２８は、図５（ａ）に示すように垂下された状態から回動されて図５（ｂ）に示すようにキッチンユニット本体１１２の上面とほぼ同一面に沿った水平状態となるように出し入れ自在に設けられている。使用時に補助カウンター１２８を外方に出すことにより、上部構造物１２４の上面を実質的に拡大できる。
【０００９】
図４、図５に示したように、下部構造物１２２の上位の背面側外縁部と側面側外縁部に、それぞれシンク１１６もしくは加熱調理機器１１４からの水はねもしくは油はねを受ける遮蔽板１２１Ａと１２１Ｂとを起立させて設けてもよい。
【００１０】
シンク１１６の排水口に連結される排水管１１９は、図４、図５に示されるように外径の異なる複数の管体を連結してなる伸縮自在管が使用されている。
【００１１】
図６は同キッチンユニットに取付けられる昇降装置の概要を示す図である。昇降装置１２６は、上部構造物１２４の上面が調理時の高さから食卓用カウンター１２０の上面の高さまでの範囲（Ｈ）で上部構造物１２４を上下動するように設けられている。
【００１２】
昇降装置１２６は、図６に示すように、上部構造物１２４を支承する平板状の支持部材１３０とこの支持部材１３０を支持する脚部１３６とを有する架台１３８と、支持部材１３０と脚部１３６とに沿って掛け渡されたベルト１４２と、ベルト１４２を巻取り巻戻しする回転体１４４を正逆転駆動するモータ１４６とを備えている。
【００１３】
モータ１４６を正逆転駆動することによりベルト１４２に牽引力が作用し、この牽引力により上下動する可動部材１３２を介して上部構造物１２４を自在に昇降させることができる。
【００１４】
回転体１４４はモータ１４６の駆動軸に減速機構を介して連結され、モータ１４６の両側に突出するように設けられている。ベルト１４２は２組使用され、それぞれが回転体１４４に巻取り又は巻戻しされるように取付けられると共に、各回転体１４４の両側方に配置された脚部１３６の近傍にガイドされている。脚部１３６は支持部材１３０を上下動可能に支持する可動部材１３２と可動部材１３２をスライド可能に保持する不動部材１３４とから構成されている。
【００１５】
上記構成のキッチンユニットによれば、キッチンユニット本体１１２の上面を、調理台と食卓の各高さを自在に上下動することができる。すなわち、キッチンユニット本体１１２の上面は、調理時には調理し易い高さに保持され、食事時には降下されて食事し易い高さに調整できる。
【先行技術文献】
【特許文献】
【００１６】
【特許文献１】特開２００８−１０９９６０号公報
【特許文献２】特開２００４−３４７０４５号公報
【発明の概要】
【発明が解決しようとする課題】
【００１７】
図４に示すように、キッチンユニット本体１１２の上面の上下動に対応してシンクに配設された排水管１１９には外径の異なる受け管１１９Ａ及び差込み管１１９Ｂを連結してなる伸縮排水管が使用される。
伸縮排水管には、受け管１１９Ａ及び差込み管１１９Ｂの接続部からの水漏れが生じないようにすること、受け管１１９Ａ及び差込み管１１９Ｂの接続部からの臭いなどが外部に漏れないようにすること、受け管１１９Ａ及び差込み管１１９Ｂの芯軸ずれがなく伸縮動作をスムーズにできること等が望まれる。
【００１８】
従来から伸縮排水管の伸縮部を覆うようにカバーを設けることが知られている（特許文献１参照）。カバーは蛇腹管や可撓性材料からなる伸縮自在の管状部材であり、その両端が排水管の伸縮部分の最上部と最下部とにそれぞれ取付け固定されるものである。このようなカバーは、臭気漏れは防止可能であるが、水漏れに対しては基本的な対策となり得ず、しかも狭いスペースでの取付けが煩雑であるという難点がある。
【００１９】
また、一般的に配管接続部にシールパッキングを使用することが知られている（特許文献２参照）。しかしながら、単に、受け管１１９Ａ及び差込み管１１９Ｂの伸縮排水管の接続部にシールパッキングを使用するだけでは受け管１１９Ａに対する差込み管１１９Ｂが傾動し易く、この傾動による受け管１１９Ａと差込み管１１９Ｂとの芯軸ずれを防止できず常時スムーズに伸縮動作させることが困難である。
【００２０】
本発明は、上記の課題を解決するためになされたもので、受け管及び差込み管内からの水漏れや臭気漏れを防止し、受け管に対する差込み管の傾動を抑え、差込み管と受け管とを安定よく伸縮動作させる伸縮排水管装置を提供することを目的とする。
【課題を解決するための手段】
【００２１】
以下の構成はそれぞれ上記の課題を解決するための手段である。
〈構成１〉
互いに往復動可能に嵌合された、差込み管及び受け管と、前記差込み管及び前記受け管の嵌合部における前記受け管端部の周面と端面とを覆い、かつ前記受け管に固定されたカバー管と、前記カバー管の内周面と前記受け管端部の端面と前記差込み管の外周面とにより形成された空間に、前記差込み管の外周面に接触するように配設されたリップパッキングと、前記嵌合部における前記差込み管と前記受け管との対向面間の複数個所に、互いに適宜間隔を置いてリング状に配設された、複数の間隙保持部材とを備えたことを特徴とする伸縮排水管装置。
【００２２】
〈構成２〉
構成１に記載の伸縮排水管装置において、前記差込み管及び前記受け管の嵌合部における前記差込み管の外周面に、前記リップパッキングの取付け位置から適宜間隔を置いて周溝を設け、前記周溝に第２のリップパッキングを設けたことを特徴とする伸縮排水管装置。
【００２３】
〈構成３〉
構成１又は２に記載の伸縮排水管装置において、前記差込み管の取付け端部に引き抜け防止部材を設け、前記差込み管の取付け端部に、前記引き抜け防止部材に係止されて前記差込み管から離脱しない状態で嵌合されかつ被取付け体の排水配管のねじ周面に螺合されるナット状固定部材を設けたことを特徴とする伸縮排水管装置。
【００２４】
〈構成４〉
構成１乃至３のいずれかに記載の伸縮排水管装置において、前記被取付け体は、キッチン床に設置される下部構造物と前記下部構造物の上に配置されかつ前記下部構造物に対して上下移動可能にされた上部構造物とに分割された構成のキッチンユニット本体と、前記上部構造物に配設された、加熱調理機器、シンク、前記シンクに連設された排水管と、前記下部構造物を固定した状態で前記上部構造物を昇降させる昇降装置とを備えたキッチンユニットであることを特徴とする伸縮排水管装置。
【００２５】
〈構成５〉
構成１乃至４のいずれかに記載の伸縮排水管装置において、前記受け管の取付け端部の外周面にフランジを設け、前記フランジに固定ボルトの挿入孔を設けたことを特徴とする伸縮排水管装置。
【００２６】
〈構成６〉
構成１乃至５のいずれかに記載の伸縮排水管装置において、前記リップパッキング及び前記第２のリップパッキングとして、Ｕパッキング又はＶパッキングを使用するものであることを特徴とする伸縮排水管装置。
【００２７】
〈構成７〉
構成１乃至６のいずれかに記載の伸縮排水管装置において、前記間隙保持部材は、テフロン（登録商標）、ＰＴＦＥ、ニトリルゴム、布入りフェノール樹脂、塩化ビニル樹脂のいずれかの材質からなる横断面円形のＯリング、あるいは横断面矩形のウェアリングにより構成されていることを特徴とする伸縮排水管装置。
【００２８】
〈構成８〉
構成１乃至７のいずれかに記載の伸縮排水管装置において、前記差込み管及び前記受け管は、塩化ビニル管により構成されていることを特徴とする伸縮排水管装置。
〈構成９〉
構成１乃至３のいずれかに記載の伸縮排水管装置において、前記被取付け体は、食卓用カウンターを装備し、かつキッチン床に設置される下部構造物と前記下部構造物の上に配置されかつ前記下部構造物に対して昇降可能に配置された上部構造物とに分割された構成のキッチンユニット本体と、前記上部構造物に配設された、加熱調理機器、シンク、前記シンクに連設された排水管とを備え、前記上部構造物を支持するように配置された可動部材と前記下部構造物に固定されて前記可動部材を上下移動する上下駆動装置とにより前記上部構造物の上面と前記下部構造物の前記食卓用カウンターの上面とがほぼ同一平面になるように高さ調整できるようにしたキッチンユニットであることを特徴とする伸縮排水管装置。
【発明の効果】
【００２９】
〈構成１の効果〉
リップパッキングを使用することにより、リップパッキングが差込み管の外周面に常時密着して摺動するので、差込み管と受け管との気密性が良好に保持され、差込み管と受け管の内部からの水分や臭いなどが外部に漏れるのを防止する。さらに互いに適宜間隔を置いてリング状に配設された、複数の間隙保持部材を使用することにより、複数の間隙保持部材が受け管に対する差込み管の傾動を抑え、差込み管と受け管とを安定よく往復動させる。
〈構成２の効果〉
第２のリップパッキングを設けたことにより、差込み管と受け管との気密性がさらに向上し、差込み管と受け管の内部からの臭いなどの外部漏れを遮断できる。
〈構成３の効果〉
差込み管を被取付け体の排水配管に着脱自在に接続できる。
〈構成４の効果〉
臭気漏れを防止する蛇腹管のようなカバーを狭いスペースで取り付ける必要がなく、受け管及び差込み管内からの水漏れや臭気漏れを合理的に防止しうる。また、受け管に対する差込み管の傾動が抑えられて差込み管と受け管とが安定よく伸縮動作するので、キッチンユニット本体１１２の上面の上下動をスムーズに行いうる。
〈構成５の効果〉
受け管の取付け端部をキッチン等の床面に簡単に固定できる。
〈構成７の効果〉
差込み管の外径と受け管の内径との寸法差の間隙を保持した状態で差込み管及び受け管を互いにスムーズに往復動させる。
〈構成８の効果〉
差込み管及び受け管を安価に構成できる。
【図面の簡単な説明】
【００３０】
【図１】実施例１の伸縮排水管装置１０を示す概略断面図である。
【図２】伸縮排水管装置１０の上部（図１のＡの部分）を説明するための断面図である。
【図３】伸縮排水管装置１０の全体構造を説明するための断面図で、主要部分は拡大断面図で示している。
【図４】従来のキッチンユニットの概要を正面から示す説明図で、（ａ）は上部構造物の移動前の状態を示す説明図、（ｂ）は同上部構造物の移動後の状態を示す説明図である。
【図５】同キッチンユニットの概要を側面から示す説明図で、（ａ）は同上部構造物の移動前の状態を示す説明図、（ｂ）は同上部構造物の移動後の状態を示す説明図である。
【図６】同キッチンユニットに取付けられる昇降装置の概要を示す説明図である。
【発明を実施するための形態】
【００３１】
以下、本発明の実施の形態を詳細に説明する。
【実施例１】
【００３２】
図１は実施例１の伸縮排水管装置１０を示す概略断面図、図２は伸縮排水管装置１０の上部（図１のＡの部分）を説明するための断面図、図３は伸縮排水管装置１０の全体構造を説明するための断面図で、主要部分は拡大断面図で示している。
【００３３】
伸縮排水管装置１０は、互いに往復動可能に嵌合された、差込み管１２及び受け管１４と、受け管１４に固定されたカバー管１８と、カバー管１８内に差込み管１２の外周面に接触するように配設されたリップパッキング２２と、差込み管１２及び受け管１４の対向面間の複数個所に、互いに適宜間隔を置いてリング状に配設された、複数の間隙保持部材２４とを備えている。
【００３４】
差込み管１２と受け管１４は、安価で取り扱い易い塩化ビニル管により構成されている。差込み管１２の外径は受け管１４の内径より１ｍｍ程度小さくされている。差込み管１２の一端部が受け管１４の一端部に互いに往復動可能に嵌合されることにより嵌合部１６が形成されている。
【００３５】
カバー管１８は一端に内方に突出する突縁部１８ａ（図３）が設けられている。カバー管１８は、差込み管１２及び受け管１４の嵌合部１６における、受け管１４端部の周面と端面とを覆っている。カバー管１８は受け管１４に対して位置決めされた後に接着剤等により固定されている。
【００３６】
差込み管１２及び受け管１４の嵌合部１６において、受け管１４端部の端面とカバー管１８端部の内周面及び突縁部１８ａと差込み管１２の外周面とにより空間２０が形成され、この空間２０にリップパッキング２２が配設されている。リップパッキング２２は、外周リップ２２ａ（図３）が差込み管１２の外周面に接触するように配置されている。
【００３７】
間隙保持部材２４は、複数個所に設けられることにより、差込み管１２の外径と受け管１４の内径との寸法差（１ｍｍ程度）の間隙を保持するものである。間隙保持部材２４は、同間隙を保持した状態で差込み管１２及び受け管１４を互いにスムーズに往復動させる、滑り易い材質、例えばテフロン（登録商標）からなる横断面円形のＯリング、あるいはＰＴＦＥ、ニトリルゴム、布入りフェノール樹脂、塩化ビニル樹脂のいずれかからなる横断面矩形のウェアリングにより構成されている。間隙保持部材２４は、差込み管１２の外周面に設けられた周溝に嵌入されることにより安定した状態で配置されている。
【００３８】
差込み管１２及び受け管１４の嵌合部１６における差込み管１２の外周面に、リップパッキング２２の取付け位置から適宜間隔を置いて周溝２６（図３）を設け、この周溝２６内に第２のリップパッキング２８が設けられている。
【００３９】
第２のリップパッキング２８は、必要に応じて設けられるが、第２のリップパッキング２８を設けることにより、差込み管１２と受け管１４との気密性がさらに向上し、差込み管１２と受け管１４の内部からの臭いなどの外部漏れを遮断できる。
【００４０】
リップパッキング２２及び第２のリップパッキング２８としては、Ｕパッキング又はＶパッキングを使用することが好ましい。これらのパッキングを使用することにより、リップパッキング２２及び又は第２のリップパッキング２８が差込み管１２の外周面に常時密着して摺動するので、差込み管１２と受け管１４との気密性が良好に保持され、差込み管１２と受け管１４の内部からの水分や臭いなどが外部に漏れるのを好適に防止する。
【００４１】
さらに嵌合部１６における差込み管１２と受け管１４との対向面間の複数個所に、互いに適宜間隔を置いてリング状に配設された、複数の間隙保持部材２４を使用することにより、間隙保持部材２４が受け管１４に対する差込み管１２の傾動を抑え、差込み管１２と受け管１４とを安定よく往復動させる。
【００４２】
次に、伸縮排水管装置１０を、図４に示すキッチンユニット１１０のシンク１１６の排水管１１９として使用する例につき説明する。この場合、差込み管１２は図４に示す差込み管１１９Ｂに相当するものとし、また、受け管１４は図４に示す受け管１１９Ａに相当するものとする。また、図４に示すシンク１１６と排水管１１９との間には排水トラップがあるが、この排水トラップを被取付け体３２と呼称し、排水トラップに連なる配管を被取付け体の排水配管３４と呼称する。
【００４３】
先ず、図２に示すように、差込み管１２の取付け端部外周に引き抜け防止部材３０を設ける。引き抜け防止部材３０としては、図２に示したように２つ割りリングが使用されている。この２つ割りリングは、差込み管１２の取付け端部の外周面に設けられた周溝に両側から嵌め込むようにして取り付けられている。
【００４４】
差込み管１２の取付け端部に、引き抜け防止部材３０に係止されるナット状固定部材３６を嵌入する。ナット状固定部材３６は、内周面にねじ溝を有している。ナット状固定部材３６は、一端に内方に突出するように設けられた突縁部３６ａ（図２）が引き抜け防止部材３０に係止されて差込み管１２から離脱しない状態で嵌合される。
【００４５】
ナット状固定部材３６を、被取付け体３２の排水配管３４の外周面に設けられたねじ溝に螺合することにより、伸縮排水管装置１０の一端部を被取付け体３２の排水配管３４に着脱自在に接続できる。
【００４６】
一方、図３に示すように、受け管１４の取付け端部の外周面にフランジ３８を設ける。フランジ３８の周囲数個所に、複数の固定ボルト４０を挿入するための挿入孔が設けられている。受け管１４の取付け端部をキッチン等の床面４２に嵌入すると共に床面４２にフランジ３８を載置して固定ボルト４０で床面４２に固定することにより、伸縮排水管装置１０の他端部を固定できる。
【００４７】
上記したように本発明に係る伸縮排水管装置１０を図４に示すキッチンユニット１１０のシンクの排水管１１９として使用した場合、臭気漏れを防止する蛇腹管のようなカバーを狭いスペースで取り付ける必要がなく、受け管及び差込み管内からの水漏れや臭気漏れを合理的に防止しうる。また、受け管に対する差込み管の傾動が抑えられて差込み管と受け管とが安定よく伸縮動作するので、キッチンユニット本体１１２の上面の上下動をスムーズに行いうるという効果が得られる。
【００４８】
なお、伸縮排水管装置１０は、昇降するキッチンユニットのシンク以外にも、昇降する、洗面台あるいは便器を被取付け体としてもよく、これらの被取付け体の排水配管に接続して使用することができる。
【符号の説明】
【００４９】
１０ 伸縮排水管装置
１２ 差込み管
１４ 受け管
１６ 嵌合部
１８ カバー管
２０ 空間
２２ リップパッキング
２４ 間隙保持部材
２６ 周溝
２８ 第２のリップパッキング
３０ 引き抜け防止部材
３２ 被取付け体
３４ 被取付け体の排水配管
３６ ナット状固定部材
３８ フランジ
４０ 固定ボルト
４２ 床面
【図１】
2014035080.tif 000003
【図２】
2014035080.tif 000004
【図３】
2014035080.tif 000005
【図４】
2014035080.tif 000006
【図５】
2014035080.tif 000007
【図６】
2014035080.tif 000008
【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
互いに往復動可能に嵌合されて被取付け体の排水配管に接続される、差込み管及び受け管と、
前記差込み管及び前記受け管の嵌合部における前記受け管端部の周面と端面とを覆い、かつ前記受け管に固定されたカバー管と、
前記カバー管の内周面と前記受け管端部の端面と前記差込み管の外周面とにより形成された空間に、前記差込み管の外周面に接触するように配設されたリップパッキングと、
前記嵌合部における前記差込み管と前記受け管との対向面間の複数個所に、互いに適宜間隔を置いてリング状に配設された、複数の間隙保持部材とを備え、
前記被取付け体は、
食卓用カウンターを装備し、かつキッチン床に設置される下部構造物と前記下部構造物の上に配置されかつ前記下部構造物に対して昇降可能に配置された上部構造物とに分割された構成のキッチンユニット本体と、前記上部構造物に配設された、加熱調理機器、シンク、前記シンクに連設された排水管とを備え、前記上部構造物を支持するように配置された可動部材と前記下部構造物に固定されて前記可動部材を上下移動する上下駆動装置とにより前記上部構造物の上面と前記下部構造物の前記食卓用カウンターの上面とがほぼ同一平面になるように高さ調整できるようにしたキッチンユニットであることを特徴とする伸縮排水管装置。
【請求項２】
請求項１に記載の伸縮排水管装置において、
前記嵌合部における前記差込み管の外周面に、前記リップパッキングの取付け位置から適宜間隔を置いて周溝を設け、前記周溝に第２のリップパッキングを設けたことを特徴とする伸縮排水管装置。
【請求項３】
請求項１又は２に記載の伸縮排水管装置において、
前記差込み管の取付け端部に引き抜け防止部材を設け、前記差込み管の取付け端部に、前記引き抜け防止部材に係止されて前記差込み管から離脱しない状態で嵌合されかつ被取付け体の排水配管のねじ周面に螺合されるナット状固定部材を設けたことを特徴とする伸縮排水管装置。